(57)【要約】【課題】露光用開口部に防塵ガラスを設けた書込み光学装置において、防塵ガラスを外部に対して開放／遮断できるようにする。【解決手段】ひさし状の防塵ガラスカバー４Ａを防塵ガラス６の前方上方に、すなわちオプティカルハウジング１の上面カバー２の先端部２ａに回動自在に設け、この防塵ガラスカバー４Ａの回動操作により防塵ガラス６を外部に対して開放／遮断するように構成する。書込み動作が可能な状態にあるときには、防塵ガラスへの異物付着が、開放状態にある上記ひさし状カバーにより防止される。書込み動作を行わないときには、ひさし状カバーを閉鎖して防塵ガラスを覆うことにより、防塵ガラスに係る防塵性が向上するとともに、ひさし状カバーによる防塵ガラスのシャッタ機能によって、外部へのレーザビームの漏れが防止される。【選択図】図１
2006187933.tif 000002
【特許請求の範囲】
【請求項１】
レーザ光を出射して感光体表面に入射することにより該感光体表面に静電潜像を形成する書込み光学装置であって、露光用開口部に防塵ガラスを設けたものにおいて、
前記防塵ガラスの上方に、ひさし状の防塵ガラスカバーを回動自在に設け、該防塵ガラスカバーの回動操作により防塵ガラスを外部に対して開放／遮断するようにしたことを特徴とする書込み光学装置。
【請求項２】
前記防塵ガラスカバーは本体部と、該本体部に設けられ且つ該本体部に対し摺動自在なクリーナとを備えてなるものであって、当該書込み光学装置を構成するオプティカルハウジングの上面カバーに取り付けられ、前記クリーナは、防塵ガラスの外面に圧接された状態で前記本体部に対し摺動しながら往復動することにより、防塵ガラスの外面を摺擦クリーニングするものであることを特徴とする請求項１に記載の書込み光学装置。
【請求項３】
前記クリーナは軸部ならびに、該軸部の一端側に支持部および、該軸部の他端側に取手部をそれぞれ有するホルダと、前記支持部に取り付けられたクリーニングパッドとを備えてなり、
前記オプティカルハウジングの側面カバーには、クリーナの回動をガイドする円弧状の第１のガイド孔と、側面カバーに垂直方向のクリーナの往復動をガイドする第２のガイド孔とが形成され、
前記防塵ガラスカバーが防塵機能を果たすべく防塵ガラスの上方位置にあるときには、前記クリーナの軸部が第１のガイド孔に挿通され、側面カバーに垂直方向のクリーナの往復動が前記支持部または取手部の端面が側面カバーに衝合することにより不可となり、
前記防塵ガラスカバーがシャッタ機能を果たす位置にあるときには、前記クリーナのホルダが第２のガイド孔に挿入され、側面カバーに垂直方向のクリーナの往復動による摺擦クリーニングが可能となるように構成されていることを特徴とする請求項２に記載の書込み光学装置。
【請求項４】
操作軸と付勢部材とを有するクリーナ保持部材をさらに備え、前記クリーナが防塵ガラス外面を摺擦クリーニングする位置にあるときには、前記付勢部材の弾性力によりクリーナが防塵ガラス外面に圧接するようにしたことを特徴とする請求項２または３に記載の書込み光学装置。
【請求項５】
前記防塵ガラスカバーは、ソレノイドの動作により回動自在とするとともに、ソレノイドへの電力供給を停止しているときには、防塵ガラスカバーの回動操作を手動で行えるようにしたことを特徴とする請求項２〜４のいずれかに記載の書込み光学装置。
【請求項６】
請求項１〜４のいずれかに記載の書込み光学装置を搭載したことを特徴とする画像形成装置。
【請求項７】
請求項４に記載の書込み光学装置を搭載した画像形成装置であって、
画像形成装置本体に設けられた開閉自在の外装カバーに押圧部材が設けられ、
前記オプティカルハウジングの側面カバーには第３のガイド孔が形成され、
前記外装カバーを閉めると前記押圧部材がクリーナ保持部材の操作軸を押圧し、該操作軸を前記第３のガイド孔に沿って案内移動させることにより、前記付勢部材の弾性力による防塵ガラス外面に対するクリーナの圧接が解除されるとともに、前記操作軸が前記付勢部材の弾性力により第３のガイド孔の一端部に拘束され、
前記操作軸を把持して手動により前記付勢部材の弾性力に抗して第３のガイド孔の他端部に移動させ、ついで前記把持力を解除すると、前記付勢部材の弾性力により前記操作軸が第３のガイド孔の他端部に拘束されるとともに、前記付勢部材の弾性力による防塵ガラス外面に対するクリーナの圧接状態に復帰するようにしたことを特徴とする画像形成装置。
【発明の詳細な説明】
【技術分野】
【０００１】
本発明は、感光体上に静電潜像を形成するための露光手段としてレーザビームを用いるレーザプリンタ、デジタル複写機、普通紙ファクシミリ等の画像形成装置に使用される書込み光学装置および、この書込み光学装置を備えた画像形成装置に関するものである。
【背景技術】
【０００２】
近年、記録速度を高めるため、レーザ光によって画像を形成する電子写真方式の普通紙複写機（ＰＰＣ）、プリンタ、ファクシミリ等の画像形成装置が多く使用されている。また、これらの画像形成装置のなかには、省スペース性やプリント速度を高めることなどを目的として、現像装置の下方に光書込みユニットを配置し、感光体の下方からこれにレーザ光を入射するようにした構造のものが知られている。図８は、従来の光書込みユニット（書込み光学装置）の一例を示す側面図である。
【０００３】
図８において、光書込みユニット５０Ａは内部に図示しない光源、ポリゴンミラー２１、レーザ光を結像させるレンズ系２２を装備している。感光体２３は、所定の向き（副走査方向）に回転しながら帯電チャージャ２４により帯電され、光書込みユニット５０Ａからのレーザ光２５が主走査方向に走査されることにより静電潜像からなる画像の記録が行われた後、現像ユニット２６においてトナー像を形成する。このトナー像は図示しない転写部で転写紙に転写され、定着部で定着される。
【０００４】
光書込みユニット５０Ａの内部は、光学系を形成するために密閉・防塵されている。レーザ光２５の出射部には防塵ガラス２８が装備されている。ポリゴンミラー２１で偏向され、レンズ系２２を透過したレーザ光２５が折り返しミラー２７で折り返された後に、上記防塵ガラス２８を透過して光書込みユニット５０Ａの外方に出射され、感光体２３にその下方から入射するようになっている。
【０００５】
図８に示す配置構造の従来型の画像形成装置では、防塵ガラス２８が上向きに設置され、現像ユニット２６の下方に光書込みユニット５０Ａが位置するため、当該画像形成装置内の塵や転写紙の紙粉、現像ユニットから落下あるいは飛散するトナーによって、防塵ガラス２８に汚れが付着しやすく、レーザ光のパワーが低下し、画像形成に悪影響を与えるという問題があった。
【０００６】
このような問題点を解決することを目的とした光書込みユニットに係る発明が、下記特許文献１に開示されている。この発明は、防塵ガラスの汚れを防ぎ、レーザ光のパワー測定を容易にし、各像高毎に精度よくレーザ光のパワーを測定することができる光書込みユニットを提供するものであり、この光書込みユニットの要部構造は図９の断面図に示すとおりである。
【０００７】
すなわち、光書込みユニット５０Ｂは、レーザ光を発光する光源と、レーザ光が結像される光学系と、レーザ光を偏向するポリゴンスキャナと、レーザ光を反射する折り返しミラー５１とを含み、画像形成のために出射したレーザ光２５を感光体の下方から入射するようにした光書込みユニットであって、当該光書込みユニット５０Ｂにおける、露光用開口部（レーザ光出射部）６４に設けた防塵ガラス２８の直上部に、板状のひさし部材２９を設けたものである。なお、図９において符号６６はレーザ光出射面である。
【０００８】
図９の構造では、防塵ガラス２８が光書込みユニット５０Ｂの上側に設置され、現像ユニットの下方に光書込みユニット５０Ｂが位置するため、装置内の塵や転写紙の紙粉、現像ユニットから落下あるいは飛散するトナーによって防塵ガラス２８には汚れが付着しやすいが、ひさし部材２９を設けることにより、防塵ガラス２８に汚れが付着しにくくなっており、レーザ光のパワーの低下を防止し、精度の良い画像形成が可能となる。
【０００９】
また、下記特許文献２には、露光光学系としてレーザ走査装置を用いた画像形成装置において、メンテナンス等のために装置本体のカバーを開放したときの、レーザビームの漏れ防止を、部品点数の少ない簡単な構成で実現できるようにした、レーザビーム走査装置（光書込みユニット）に関する発明が提案されている。
【００１０】
このレーザビーム走査装置の構成では、レーザビーム発生手段と、該レーザビーム発生手段で発生したレーザビームを所定の形状の光束に整形するビーム整形手段と、前記ビーム整形手段によって所定の形状に整形された光束を副走査方向に集光する第１の集光手段と、前記第１の集光手段により副走査方向に集光されたレーザビームを偏向走査する偏向走査手段と、偏向走査されたレーザビームを所定の像面に所定のスポット径で結像するとともにほぼ等速で走査する結像手段とを有するレーザビーム走査装置において、前記ビーム整形手段を進退可能に構成することにより、レーザビームを遮光可能とし、もって有害なレーザビームの暴露をなくすようにしたことを特徴としている。
【００１１】
さらに、下記特許文献３には、画像形成装置本体のカバーを取らなくても防塵ガラスの清掃ができるようにして、メンテナンスの容易化を図った画像形成装置が記載されている。
この画像形成装置は、記録紙を保持する手段と、前記記録紙を搬送する手段と、記録データをレーザ光で走査する書込み手段と、前記レーザ光を潜像化する手段と、潜像を可視像化する現像手段と、可視像を前記記録紙に転写する転写手段と、転写された可視像を記録紙上に固定する定着手段と、可視像が定着された記録紙を排紙する手段を備えた画像形成装置において、前記書込み手段は、レーザ光を放射する開口部と、前記書込み手段を位置決め保持する本体フレームに一体に形成された防塵ガラス保持部を備え、防塵ガラスを前記画像形成装置の外部から前記防塵ガラス保持部に着脱可能としたものである。
【００１２】
【特許文献１】特開平１０−２３０６４０号公報
【特許文献２】特開平１１−２７７２号公報
【特許文献３】特開２００２−１２７４９５号公報
【発明の開示】
【発明が解決しようとする課題】
【００１３】
しかしながら、上記特許文献１の光書込みユニットでは上記ひさし部材により、ある程度の防塵効果は得られるものの、このひさし部材だけでは、防塵ガラスへの汚れ付着を十分に防止するのは難しい。
また、上記特許文献２のレーザビーム走査装置は、レーザビームの出射を防止するシャッタ機構を備えたものであるが、該機構は防塵ガラスへ汚れ付着を防止するものではない。
さらに、上記特許文献３の画像形成装置に配備された光書込み手段では、防塵ガラスを取り外して清掃するため、ガラスの清掃性は高いものの、ガラスを取り外すときに、防塵ガラスに付着したトナー等の汚れ・ゴミ等がこの光書込み手段の内部に侵入する（落ち込む）トラブルが発生しやすいという問題がある。
【００１４】
本発明は、従来技術の上記事情に鑑みなされたもので、その目的は、ひさし状カバーを設けることによって防塵ガラスに異物が付着するのを防止するとともに、防塵ガラスを覆うことで、書込み動作を行わないときの防塵性向上を達成する機能と、シャッタ機構としての機能とを同時に得ることができ、さらに、異物が付着した場合にはガラスクリーナによってこれを除去して清浄な状態に復帰させることができる書込み光学装置を提供することにある。
【課題を解決するための手段】
【００１５】
請求項１に係る発明は、レーザ光を出射して感光体表面に入射することにより該感光体表面に静電潜像を形成する書込み光学装置であって、露光用開口部に防塵ガラスを設けたものにおいて、前記防塵ガラスの上方に、ひさし状の防塵ガラスカバーを回動自在に設け、該防塵ガラスカバーの回動操作により防塵ガラスを外部に対して開放／遮断するようにしたことを特徴とする書込み光学装置である（図１、図２を参照）。
【００１６】
請求項２に係る発明は、前記防塵ガラスカバーが本体部と、該本体部に設けられ且つ該本体部に対し摺動自在なクリーナとを備えてなるものであって、当該書込み光学装置を構成するオプティカルハウジングの上面カバーに取り付けられ、前記クリーナは、防塵ガラスの外面に圧接された状態で前記本体部に対し摺動しながら往復動することにより、防塵ガラスの外面を摺擦クリーニングするものであることを特徴とする請求項１に記載の書込み光学装置である（図３を参照）。
【００１７】
請求項３に係る発明においては、前記クリーナが軸部、該軸部の一端側に設けた支持部および、該軸部の他端側に設けた取手部を有するホルダと、前記支持部に取り付けたクリーニングパッドとを備えてなり、前記オプティカルハウジングの側面カバーには、クリーナの回動をガイドする円弧状の第１のガイド孔と、側面カバーに垂直方向のクリーナの往復動をガイドする第２のガイド孔とが形成され、前記防塵ガラスカバーが防塵機能を果たすべく防塵ガラスの上方位置にあるときには、前記クリーナの軸部が第１のガイド孔に挿通され、側面カバーに垂直方向のクリーナの往復動が前記支持部または取手部の端面が側面カバーに衝合することにより不可となり、前記防塵ガラスカバーがシャッタ機能を果たす位置にあるときには、前記クリーナのホルダが第２のガイド孔に挿入され、側面カバーに垂直方向のクリーナの往復動による摺擦クリーニングが可能となるように構成されていることを特徴とする請求項２に記載の書込み光学装置である（図４、図５を参照）。
【００１８】
請求項４に係る発明は、操作軸と付勢部材とを有するクリーナ保持部材をさらに備え、前記クリーナが防塵ガラス外面を摺擦クリーニングする位置にあるときには、前記付勢部材の弾性力によりクリーナが防塵ガラス外面に圧接するようにしたことを特徴とする請求項２または３に記載の書込み光学装置である（図６、図７を参照）。
【００１９】
請求項５に係る発明において、前記防塵ガラスカバーは、ソレノイドの動作により回動自在とするとともに、ソレノイドへの電力供給を停止しているときには、防塵ガラスカバーの回動操作を手動で行えるようにしたことを特徴とする請求項２〜４のいずれかに記載の書込み光学装置である。
【００２０】
請求項６に係る発明は、請求項１〜４のいずれかに記載の書込み光学装置を搭載したことを特徴とする画像形成装置である。
【００２１】
請求項７に係る発明は、請求項４に記載の書込み光学装置を搭載した画像形成装置であって、画像形成装置本体に設けられた開閉自在の外装カバーに押圧部材（圧接解除部材）が設けられ、前記オプティカルハウジングの側面カバーには第３のガイド孔が形成され、前記外装カバーを閉めると前記押圧部材がクリーナ保持部材の操作軸を押圧し、該操作軸を前記第３のガイド孔に沿って案内移動させることにより、前記付勢部材の弾性力による防塵ガラス外面に対するクリーナの圧接が解除されるとともに、前記操作軸が前記付勢部材の弾性力により第３のガイド孔の一端部に拘束され、前記操作軸を把持して手動により前記付勢部材の弾性力に抗して第３のガイド孔の他端部に移動させ、ついで前記把持力を解除すると、前記付勢部材の弾性力により前記操作軸が第３のガイド孔の他端部に拘束されるとともに、前記付勢部材の弾性力による防塵ガラス外面に対するクリーナの圧接状態に復帰するようにしたことを特徴とする画像形成装置である（図６、図７を参照）。
【発明の効果】
【００２２】
請求項１に係る発明では、防塵ガラスへの異物付着が、ひさし状カバーによって防止される。また、防塵ガラスカバーを回動させて防塵ガラスを覆うことで、書込み動作を行わないときの防塵性向上を達成することができるとともに、この防塵ガラスを、レーザ光が外部に漏れるのを防止するためのシャッタ機構として機能させることができる。
【００２３】
請求項２に係る発明では、防塵ガラスカバーに防塵ガラスの外面を摺擦する往復動自在なクリーナを設けたので、防塵ガラス外面に異物等が付置することがあっても、これをクリーナの往復動により除去することができる。
【００２４】
請求項３に係る発明では、所定の構成としたので、防塵ガラスカバーによるカバー機能と、クリーナによるクリーニング操作とを、確実に切り替えて行うことができる。すなわち、クリーナが防塵ガラスに接触していないときにはクリーニング操作が不可となるから、無駄なクリーナ動作をなくすことができる。また、クリーニング操作を行ったつもりなのにクリーニング行われないという不具合がなくなる。
【００２５】
請求項４に係る発明では、防塵ガラスカバーのクリーナが防塵ガラスの外面をクリーニングする位置にあるときには、付勢部材によりクリーナを防塵ガラスの外面に圧接させるようにしたので、より確実なクリーニング効果が得られる。
【００２６】
請求項５に係る発明では、防塵ガラスカバーが防塵ガラス用のカバー（ひさし）として機能する位置にあるときにおいても、クリーナが動作する位置に強制的に移動セットすることができるので、いつでも防塵ガラスのクリーニング操作を行うことが可能となる。
【００２７】
請求項６に係る発明は、請求項１〜４のいずれかに記載の書込み光学装置を搭載したことを特徴とする画像形成装置であるから、これら書込み光学装置の長所を生かした画像形成動作が可能となる。
【００２８】
請求項７に係る発明では、画像形成装置本体の外装カバーを閉めると、付勢部材により前記保持部材が所定の退避位置に拘束されるため、防塵ガラスカバーを防塵ガラス用のカバー（ひさし）として機能する位置に移動させることができる。したがって、上記外装カバーを閉め、防塵ガラスカバーを防塵ガラスから退避させた通常の状態にセットすることで、通常の画像形成動作を開始することができる。
【発明を実施するための最良の形態】
【００２９】
以下、本発明の実施の形態を、図面をもとに説明する。
第１の実施形態
本実施形態は、露光用開口部に防塵ガラスを設けた書込み光学装置において、防塵ガラスを外部に対して開放／遮断できるようにしたものである。
【００３０】
図１に示すように、ひさし状の防塵ガラスカバー４Ａを防塵ガラス６の前方上方に、すなわちオプティカルハウジング１の上面カバー２の先端部２ａに回動自在に設け、この防塵ガラスカバー４Ａの回動操作により防塵ガラス６を外部に対して開放／遮断するように構成する。書込み動作が可能な状態にあるときには、防塵ガラスへの異物付着が、開放状態にある上記ひさし状カバーにより防止される。書込み動作を行わないときには、ひさし状カバーを閉鎖して防塵ガラスを覆うことにより、防塵ガラスに係る防塵性が向上するとともに、ひさし状カバーによる防塵ガラスのシャッタ機能によって、外部へのレーザビームの漏れが防止される。以下、本実施形態の構成・作用について詳細に説明する。
【００３１】
図１は書込み光学装置の要部構造を示す断面図である。図２はこの書込み光学装置に配備された防塵ガラスカバー回動用のソレノイド機構の構造および動作を示す説明図である。この書込み光学装置は図１に示すように、露光用開口部６Ａ（レーザ光出射部）に防塵ガラス６を設けるとともに、この防塵ガラス６の前方上方に、ひさし（廂）状の防塵ガラスカバー４Ａを回動自在に設けたものである。
【００３２】
具体的には、オプティカルハウジング１に上面カバー２を設けて筐体を構成し、露光用開口部６Ａに防塵ガラス６を設ける。防塵ガラスカバー４Ａを、カバー先端部２ａに取り付けた軸５を中心に回動自在に設ける。この軸５は、図２に示すソレノイド機構７により回動自在とする。図１において符号３はＬＤビーム（レーザビーム）である。上記ソレノイド機構７では、電力の供給／停止により上昇／下降する頭部７ａを設ける。防塵ガラスカバー４Ａは上記頭部７ａ側に延長し、この延長部を上記頭部７ａにリンクさせる。
【００３３】
上記防塵ガラスカバー４Ａによる防塵ガラス６の開閉動作を説明する。画像形成装置において書込み動作を行っているときには、ソレノイド機構７に電力が供給され、防塵ガラスカバー４Ａが図２の実線で示すカバー位置（ひさし位置）に回動して、ひさしとして機能するようになるとともに、図略のレーザビーム発生手段からのレーザビーム３が防塵ガラス６を介して、図略の感光体に向けて出射される。書込み動作を停止すると、ソレノイド機構７への電力供給が停止され、防塵ガラスカバー４Ａが図２の破線で示すシャッタ位置に回動する。したがって、何かの原因で図略のレーザビーム発生手段が機能しても、感光体へのレーザビームの出射が防塵ガラスカバー４Ａにより遮断される。
【００３４】
第２の実施形態
図３は書込み光学装置の要部構造を示す断面図である。この書込み光学装置は、防塵ガラスカバー４Ｂを本体部４Ｂ−１と、これに摺動自在に設けたクリーナ（クリーニング部材）８とにより構成した点に特徴があり、このクリーナ８は、上記摺動により防塵ガラス６の外面に圧接状態で往復動することにより、上記外面を摺擦クリーニングするためのものである。そのために、クリーナ８をホルダ９と、これに固着された発泡ポリウレタン等の軟質弾性材料からなるクリーニングパッド１０により構成し、ホルダ９を、本体部４Ｂ−１のガイド溝４ａに挿入しこのガイド溝に対し摺動自在とする。ホルダ９の長手方向一端部に図略の取手を設け、この取手を把持してクリーナ８を往復動させることにより、防塵ガラス６外面をクリーニングパッド１０で摺擦して汚れを除去する。その他の構成は第１の実施形態と同様である。なおクリーナ８を、手動に替えて往復動機構（図略）により駆動するように構成することもできる。
【００３５】
第３の実施形態
図４は書込み光学装置に配備されたクリーナの斜視図、図５はこのクリーナの動作説明図である。この書込み光学装置では、防塵ガラスカバー４Ｂおよびクリーナ８の構造が図３と同様となっているが、防塵ガラスカバー４Ｂに設けたクリーナ８のクリーニングパッド１０が防塵ガラス６外面に接触しているときにのみ、上記汚れ除去のためのクリーナ８の往復動作が可能となるようにした点で図３の構造と相違している。
【００３６】
図４に示すように板状の支持部９ａ、円筒状の軸部９ｂおよび板状の取手部９ｃからなるホルダ９の上記支持部９ａの片面にクリーニングパッド１０を固着してクリーナ８を構成する。一方、書込み光学装置のカバー１１（オプティカルハウジングの側面カバー）には、円弧状の貫通孔である第１のガイド孔９Ａと、直線状の貫通孔である第２のガイド孔９Ｂを連ねて形成する。第１のガイド孔９Ａの幅は、軸部９ｂの直径よりも僅かに大きく設定する。ホルダ９の軸部９ｂを第１のガイド孔９Ａに挿通するとともに、取手部９ｃをカバー１１の片面側に、支持部９ａおよびクリーニングパッド１０をカバー１１の反対面側に、それぞれ位置させる。また、軸部９ｂの長さはカバー１１の板厚よりも僅かに長くなるように、すなわち、防塵ガラスカバー４Ｂ（およびクリーナ８）を図５のようにセットした状態では、支持部９ａの端面９ａ−１および取手９ｃの端面９ｃ−１がカバー１１表面の直近位置にあるように設定する。上記第２のガイド孔９Ｂの寸法・形状は、支持部９ａが図５の紙面に対し垂直方向に往復動できるように、かつ支持部９ａの周囲に僅かな隙間が形成されるように設定する。
【００３７】
つぎに、上記クリーナ８の動作について説明する。図５において、破線で示した防塵ガラスカバー４Ｂ（およびクリーナ８）は、図１におけるカバー位置（ひさし位置）に相当する位置にある。この場合、クリーナ８を図５の紙面に垂直方向に移動させようとしても、上記端面９ａ−１または端面９ｃ−１がカバー１１表面に衝合するため、クリーニング動作が不可となる（防塵ガラスカバー４Ｂの往復動を不可とするストッパ機能）。一方、防塵ガラスカバー４Ｂ（およびクリーナ８）を第１のガイド孔９Ａに沿って回動させ、図２の破線で示すシャッタ位置に移動させたときには、このカバー４Ｂは図５において実線で示す位置にある。この場合には、防塵ガラスカバー４Ｂをクリーナ８と一体で図５の紙面に垂直方向に、第２のガイド孔９Ｂに沿って往復動させることにより、防塵ガラス６の外面をクリーニングパッド１０で摺擦して汚れを除去することができる。
【００３８】
このように、本実施形態では、防塵ガラスカバー４Ｂの往復動を不可とするストッパ機能を設け、防塵ガラスカバー４Ｂが防塵機能を果たす位置にあるときには、クリーナ８が防塵ガラス６の外面から離反した位置にあり、かつ該位置においては上記ストッパ機能によりクリーナの往復動作が不可となるようにし、防塵ガラスカバー４Ｂがシャッタ位置にあるときには、上記ストッパ機能から解除されるとともに、クリーナ８が防塵ガラス６の外面に圧接し、クリーナ８によるクリーニング機能が得られるように構成されている。
【００３９】
第４の実施形態
図６は、クリーナのクリーニングパッドを防塵ガラス外面に圧接させるためのクリーナ保持部材（クリーナ圧接部材）の動作説明図であって、オプティカルハウジングの側面カバーの側から見たものである。図７は図６の断面図であり、画像形成装置の外装カバー開閉による上記クリーナ保持部材の動作説明図であって、（ａ）はクリーナ保持部材によりクリーニングパッドを防塵ガラス外面に圧接させているとき（画像形成装置の外装カバーが「開」）の状態を、（ｂ）は画像形成装置の外装カバーを閉鎖することにより、クリーナ保持部材による防塵ガラス外面に対するクリーニングパッドの圧接を解除したときの状態を、それぞれ示す説明図である。
【００４０】
本実施形態は、所定構成の書込み光学装置を設けた画像形成装置に係るもので、当該画像形成装置の外装カバー（開閉カバー）１５に、下記構成の圧接解除部材（押圧部材）１６を設けるとともに、書込み光学装置には、防塵ガラスのクリーナと、該クリーナを防塵ガラスに圧接させるためのクリーナ保持部材（クリーナ圧接部材）１４とを設け、外装カバー１５の閉鎖操作により圧接解除部材１６を作動させることで、クリーナ保持部材１４の防塵ガラス６外面に対する圧接状態を解除できるようにしたものである。
【００４１】
本実施形態は図５と同様に、防塵ガラスカバー４Ｂが防塵機能を果たす位置にあるときにはクリーナの往復動作が不可となるようにし、防塵ガラスカバー４Ｂがシャッタ位置にあるときには、クリーナ８によるクリーング機能が得られるようにし、また上記第１の実施形態と同様に防塵ガラスカバー４Ｂをソレノイド機構（図略）により回動自在としたのに加えて、下記構成を付加した点に特徴がある。
【００４２】
すなわち、図６に示すように、書込み光学装置のカバー１１に、倒立・傾斜したＬ字型の第３のガイド孔１２（貫通孔）を形成する。このガイド孔１２は、「Ｌ字」の短辺部が右上がりに、長辺部が右下がりとなるように設ける。操作軸１３と、これに取り付けた付勢部材としての引張りコイルバネ１７とを有する、おおむねＵ字型のクリーナ保持部材（クリーナ圧接部材）１４を書込み光学装置側に設け、上記操作軸１３を上記第３のガイド孔１２に挿通させ、この操作軸１３の操作端をカバー１１の外側に位置させる。図６の状態では図３の状態と同様に、クリーナ８による防塵ガラスのクリーング動作が可能である。
【００４３】
また、図６に示すように、防塵ガラスカバー４Ｂのクリーナ８が防塵ガラス６の外面をクリーニングする位置にあるとき（図５と同様の状態）には、上記引張りコイルバネ１７による矢印Ｄの向きの弾性力により、クリーナ保持部材１４の内面でクリーナ８の支持部９ａ（図略）の背面を押圧することで、クリーナ８を防塵ガラス６外面に圧接させる。この場合、操作軸１３は上記弾性力によって、ガイド孔１２の上記短辺部の左端位置に拘束される（図６の状態）。
【００４４】
一方、画像形成装置の外装カバー１５（開閉ドア）の内面には、図７（ａ）に示すように、前方部に傾斜面１６ａを形成した圧接解除部材１６を設け、この傾斜面１６ａを上記操作軸１３に対向させる。
【００４５】
図６および図７（ａ）は、この画像形成装置の外装カバー１５が開放され、圧接解除部材１６が操作軸１３から離れ、クリーナ８（のクリーニングパッド）がクリーナ保持部材１４により防塵ガラス外面に圧接しているときの状態を示している。
この状態から外装カバー１５を閉鎖すると、図７（ｂ）に示すように圧接解除部材１６の傾斜面１６ａが操作軸１３を図面右側に押圧する結果、図６において操作軸１３が、ガイド孔１２の「Ｌ字」の短辺部を右上がり移動し、ついで引張りコイルバネ１７の弾性力により、上記「Ｌ字」の長辺部を下降し、その下端部に落ち着くとともに、クリーナ保持部材１４によるクリーナ８の防塵ガラス外面に対する圧接が解除される。図７（ｂ）から図７（ａ）の状態に戻すには、操作軸１３を把持し、引張りコイルバネ１７の弾性力に抗してガイド孔１２に沿って上昇させ、ガイド孔１２の上記短辺部の左端位置にセットすればよい。
【００４６】
なお本発明では、別の実施形態として、防塵ガラスカバーをソレノイドの動作により回動自在とするとともに、このソレノイドへの電力供給を停止しているときには、防塵ガラスカバーの回動操作を手動で行えるように構成することもできる（図略）。
【図面の簡単な説明】
【００４７】
【図１】本発明の第１の実施形態に係る書込み光学装置の要部構造を示す断面図である。
【図２】図１の書込み光学装置に配備された、防塵ガラスカバー回動用の回動機構の構造および動作を示す説明図である。
【図３】本発明の第２の実施形態に係る書込み光学装置の要部構造を示す断面図である。
【図４】本発明の第３の実施形態に係るもので、書込み光学装置に配備されたクリーナの斜視図である。
【図５】図４のクリーナの動作説明図である。
【図６】本発明の第４の実施形態に係る書込み光学装置に配備されたクリーナの動作説明図である。
【図７】図６の断面図である。
【図８】従来の書込み光学装置（光書込みユニット）の一例を示す側面図である。
【図９】図８の書込み光学装置の要部構造を示す断面図である。
【符号の説明】
【００４８】
１    オプティカルハウジング
２    カバー（オプティカルハウジングの上面カバー）
２ａ    カバー先端部
３    ＬＤビーム（レーザビーム）
４Ａ    防塵ガラスカバー
４Ｂ    防塵ガラスカバー（クリーナ付き）
４Ｂ−１    本体部
４ａ    ガイド溝
５    軸
６    防塵ガラス
６Ａ    露光用開口部
７    ソレノイド機構
（防塵ガラスカバー回動機構）
７ａ    頭部
８    クリーナ（クリーニング部材）
９    ホルダ
９Ａ    第１のガイド孔
９Ｂ    第２のガイド孔
９ａ    支持部
９ｂ    軸部
９ｃ    取手部
９ａ−１    端面
９ｃ−１    端面
１０    クリーニングパッド
１１    カバー（オプティカルハウジングの側面カバー）
１２    第３のガイド孔
１３    操作軸
１４    クリーナ保持部材（クリーナ圧接部材）
１５    外装カバー（開閉ドア）
１６    圧接解除部材（押圧部材）
１６ａ    傾斜面
１７    引張りコイルバネ（付勢部材）
２１    ポリゴンミラー
２２    レンズ系
２３    感光体
２４    帯電チャージャ
２５    レーザ光
２６    現像ユニット
２７    折り返しミラー
２８    防塵ガラス
２９    ひさし部材
５０Ａ    光書込みユニット
５０Ｂ    光書込みユニット
５１    折り返しミラー
６４    露光用開口部
６６    レーザ光出射面
【図１】
2006187933.tif 000003
【図２】
2006187933.tif 000004
【図３】
2006187933.tif 000005
【図４】
2006187933.tif 000006
【図５】
2006187933.tif 000007
【図６】
2006187933.tif 000008
【図７】
2006187933.tif 000009
【図８】
2006187933.tif 000010
【図９】
2006187933.tif 000011